(57)【要約】【課題】各監視ネットワークにおける設定変更を最小限にとどめ、かつ、利用者は監視ネットワークの違いを特に意識することなく、複数の監視ネットワークに跨った検索を実行することができる分散監視検索システムを提供する。【解決手段】監視検索装置名と監視データの入力手段１０３との対応を分散構成情報として管理する分散制御手段１１０を監視検索装置１０５ａ（１０５ｃ）、１０５ｂ（１０５ｄ）が備え、監視ネットワーク接続装置１０２は接続する双方の監視ネットワーク１０１ａ、１０１ｂの分散構成情報を備え、監視ネットワーク１０１ａ、１０１ｂに対し、もう一方の全ての入力手段１０３に対応した監視検索装置１０５ｃ（１０５ａ）、１０５ｄ（１０５ｂ）として接続することにより、利用者は監視ネットワーク１０１ａ、１０１ｂの違いを意識することなく、複数の監視ネットワークに跨った検索処理を実行することができる。【選択図】　　図１
2004021404.tif 000002
【特許請求の範囲】
【請求項１】
監視データを入力する入力手段と、前記入力手段から入力された監視データを蓄積する記憶装置と、監視検索端末と、前記記憶装置に蓄積された監視データを検索する監視検索装置とをそれぞれ複数有し、前記監視検索装置は、少なくとも監視データの入力手段識別情報と蓄積された監視データの所在情報との組からなる監視データ索引情報を管理する監視データ索引情報管理手段と、前記記憶装置に蓄積された監視データを検索する検索手段とを備え、前記入力手段、前記記憶装置、前記監視検索端末及び前記監視検索装置がデータ伝送を行うネットワークに接続されてなる監視ネットワークを相互に接続可能とする監視ネットワーク接続装置を備え、
前記監視ネットワーク接続装置は、前記監視検索端末から検索要求を受信したときに検索要求の条件整理を行う検索条件制御手段と、監視検索装置名と検索すべき入力手段識別情報との組を分散構成情報として管理する分散制御手段とを有し、前記監視検索端末から検索要求を受信したときに検索対象の監視データが他の監視ネットワークの監視データである場合には、他の監視ネットワークに検索要求を発行し、前記他の監視ネットワークからの検索結果を前記監視検索端末に送ることを特徴とする分散監視検索システム。
【請求項２】
前記監視ネットワーク接続装置は、第一の監視ネットワークと接続して通信を行う第一通信手段と、第二の監視ネットワークと接続して通信を行う第二通信手段と、前記第一の監視ネットワークに含まれる監視検索装置名と前記監視検索装置の前記監視データ索引情報管理手段が管理する監視データ情報に含まれる入力手段識別情報との組を分散構成情報として管理する第一分散管理手段と、前記第一の監視ネットワーク内の前記監視検索装置に対して検索を要求し結果を取得する検索手段とを備え、
前記監視ネットワーク接続装置が、前記第二の監視ネットワークの前記監視検索端末から前記第一の監視ネットワークに含まれる前記入力手段に関する監視データの検索要求を受信すると、前記第一分散管理手段により検索が必要な監視検索装置を特定して検索を要求し、前記監視検索装置から受信した検索結果をまとめて前記第二の監視ネットワークの前記監視検索端末に対して送ることを特徴とする請求項１に記載の分散監視検索システム。
【請求項３】
前記監視ネットワーク接続装置は、前記第一の監視ネットワークに含まれる入力手段識別情報と、前記入力手段識別情報を前記第二の監視ネットワークに対して示す場合に使用する仮想入力手段識別情報との組からなる入力手段識別管理情報を格納する第一入力手段識別管理手段と、前記第二の監視ネットワークから検索要求を受信すると、前記第一入力手段識別管理情報により、検索要求に含まれる前記仮想入力手段識別情報を前記第一の監視ネットワーク内の前記入力手段識別情報に変換して前記検索手段に検索要求を渡し、前記第一の監視ネットワークからの検索結果に含まれる前記入力手段識別情報を前記仮想入力手段識別情報に変換して前記第二の監視ネットワークに送るよう制御する検索条件制御手段とを備えることを特徴とする請求項１または請求項２に記載の分散監視検索システム。
【請求項４】
前記監視ネットワーク接続装置は、前記第二の監視ネットワークに含まれる監視検索装置名と前記監視検索装置の前記監視データ索引情報管理手段が管理する監視データ情報に含まれる入力手段識別情報との組を分散構成情報として管理する第二分散管理手段を備え、前記検索手段は、前記第一の監視ネットワークから前記第二の監視ネットワークに対して検索要求を受けた場合には、前記第二の監視ネットワーク内の前記監視検索装置に対して検索を要求し結果を取得することを特徴とする請求項１または請求項２に記載の分散監視検索システム。
【請求項５】
前記監視ネットワーク接続装置は、前記第二の監視ネットワークに含まれる監視検索装置名と前記監視検索装置の前記監視データ索引情報管理手段が管理する監視データ情報に含まれる入力手段識別情報との組を分散構成情報として管理する第二分散管理手段と、前記第二の監視ネットワークに含まれる入力手段識別情報と、前記入力手段識別情報を前記第一の監視ネットワークに対して示す場合に使用する仮想入力手段識別情報との組からなる入力手段識別管理情報を格納する第二入力手段識別管理手段とを備え、前記検索条件制御手段は、前記第一の監視ネットワークから検索要求を受信した場合は、前記第二入力手段識別管理情報により、検索要求に含まれる前記仮想入力手段識別情報を前記第二の監視ネットワーク内の前記入力手段識別情報に変換して前記検索手段に検索要求を渡し、前記第二の監視ネットワークからの検索結果に含まれる前記入力手段識別情報を前記仮想入力手段識別情報に変換して前記第一の監視ネットワークに送るよう制御することを特徴とする請求項１または請求項２に記載の分散監視検索システム。
【請求項６】
前記入力手段識別管理情報は、他ネットワークへの監視データ提供の可否を示すフラグ情報を含み、前記検索条件制御手段は、前記入力手段識別管理情報を参照して監視データの提供が許可されている場合のみ検索処理を実行することを特徴とする請求項３または請求項５に記載の分散監視検索システム。
【請求項７】
前記入力手段識別情報は監視ネットワーク識別情報情報も含むよう定義され、少なくとも前記監視ネットワーク識別情報情報と前記第二の監視ネットワークへの監視データ提供の可否情報の組からなる監視ネットワーク識別情報管理情報を格納する第一監視ネットワーク識別情報管理手段と、少なくとも監視ネットワーク識別情報情報と前記第一の監視ネットワークへの監視データ提供の可否情報の組からなる監視ネットワーク識別情報管理情報を格納する第二監視ネットワーク識別情報管理手段とを備え、前記検索条件制御手段は、検索要求に含まれる仮想入力手段識別情報に対応した入力手段識別情報に含まれる前記監視ネットワーク識別情報情報により前記監視ネットワーク識別情報管理情報を参照し、監視データの提供が許可されている場合のみ検索処理を実行することを特徴とする請求項５または請求項６に記載の分散監視検索システム。
【請求項８】
前記監視ネットワーク接続装置は、他監視ネットワークの利用を許可されている利用者を管理する利用者識別情報を格納する利用者管理手段を備え、前記検索条件制御手段は、検索要求を発行した利用者識別情報を前記利用者管理手段の利用者識別情報と比較し、両方の利用者識別情報が一致した場合には利用が許可されているとして検索処理を実行することを特徴とする請求項１乃至請求項７のいずれかに記載の分散監視検索システム。
【請求項９】
前記入力手段識別管理情報は前記入力手段が属するグループ識別情報を含み、前記利用者識別情報は利用者が属するグループ識別情報を含み、前記検索条件制御手段は、前記利用者識別情報から検索要求を発行した利用者が属するグループを参照し、前記グループに含まれる入力手段のみを検索対象とするよう制御することを特徴とする請求項８に記載の分散監視検索システム。
【請求項１０】
各監視ネットワーク内の監視検索装置は、自身の監視ネットワークに含まれる監視検索装置名と監視検索装置の監視データ索引情報管理手段が管理する監視データ情報に含まれる入力手段識別情報との組を分散構成情報として管理する分散制御手段を備え、前記分散構成情報には監視ネットワーク接続装置が監視検索装置として登録され、前記監視ネットワーク接続装置に対応する入力手段識別情報が前記監視ネットワーク接続装置を介して監視検索を行う他の監視ネットワークに含まれる入力手段識別情報であることを特徴とする分散監視検索システム。
【請求項１１】
前記監視ネットワーク接続装置および前記監視ネットワーク内の監視検索装置は、前記分散構成情報の更新を管理する分散構成情報管理手段を備え、前記分散構成情報管理手段は、前記監視検索装置および前記監視ネットワーク接続装置間で互いに通信を行って前記分散構成情報を作成、更新することを特徴とする請求項１０に記載の分散監視検索システム。
【請求項１２】
複数の監視ネットワークを相互に接続可能とする監視ネットワーク接続装置であって、前記監視ネットワーク接続装置は、外部から監視データの検索要求を受信したときに前記監視データが他の監視ネットワークで得られるべき監視データである場合には、前記他の監視ネットワークからの検索結果を前記監視検索端末に送るよう制御することを特徴とする監視ネットワーク接続装置。
【請求項１３】
入力手段より入力された監視データを蓄積する記憶装置と、前記監視データの検索要求を行う監視検索端末と、前記監視データがどこから入力されたかを示す入力手段識別情報と蓄積された監視データの所在情報との組を含む監視データ索引情報を管理する監視データ索引情報管理手段と、前記記憶装置に蓄積された監視データを検索する検索手段とを備え、前記監視検索端末は、前記記憶装置に存在しない監視データが検索要求されたとき、前記検索要求を他の監視ネットワークに対して行うことを特徴とする監視ネットワークシステム。
【発明の詳細な説明】
【０００１】
【発明の属する技術分野】
本発明は、ネットワークに複数台のカメラや記憶装置を接続し、複数台のカメラやマイクなどから入力される映像及び音声などの監視情報をディスクなどの記憶装置に記録し、記憶装置に記録された監視情報の中からユーザの指定する検索条件に合致する監視情報を読み出せるようにした監視検索システムに関する。
【０００２】
【従来の技術】
従来、高層ビルディングや金融機関などでは、複数台のカメラを設置した監視システムが利用されている。このような監視システムでは、カメラから入力された監視画像は、リアルタイムで監視員によりモニタされるとともに記録メディアに記録され、後から監視画像を再生することを可能としているものも存在する。
【０００３】
近年、映像及び音声などの情報のデジタル化にともない、映像及び音声を符号化して伝送し、大容量のディスクなどを記録装置として用いることにより、多くのカメラを利用して長時間記録する大規模な監視装置の構成が可能となってきている。このため、膨大に記録された記録装置上から、必要な監視情報を効率よく検索して再生できる監視検索システムが求められてきている。
【０００４】
従来、記録装置上から必要な監視情報を検索して再生する監視検索システムとしては、特開平１０−２４０７７４号公報に記載されたものが知られている。
【０００５】
図１７は、従来の監視検索システムの構成を示す図であり、図１７において、従来の監視検索システムは、監視データの入力、記録及び読み出しを行うローカル装置１７０１と、検索条件を入力するとともに監視データを受信して再生するセンタ装置１７０２と、検索用データを管理するデータ管理装置１７０３と、監視データを記録保持する記憶装置１７０４と、各装置が接続されデータを伝送するネットワーク１７０５とから構成され、ローカル装置１７０１は監視データを入力するデータ入力手段１７０７と、監視データの蓄積及び読み出しを行う入力データ蓄積・読出手段１７０８と、通信手段１７０９ａとを備え、センタ装置１７０２は監視データを再生する再生装置１７０６と、通信手段１７０９ｂと、監視データの復号を行うデータ処理手段１７１０とを備え、データ管理装置１７０３は通信手段１７０９ｃと、監視データの記録時間と所在情報を含むストリームデータ索引情報１７１２を管理し検索を実行する分散データ管理手段１７１１とを備え、記憶装置１７０４には監視データ１７１３が記憶管理されている。
【０００６】
センタ装置１７０２から入力された検索条件でデータ管理装置１７０３がストリームデータ索引情報１７１２を検索し、条件に合致する監視データの所在情報をセンタ装置１７０２に返すことにより、センタ装置１７０２から、全てのローカル装置１７０１を探索することなく、必要な監視情報を読み出して再生することを実現している。また、データ管理装置１７０３をローカル装置１７０１やセンタ装置１７０２を分担するよう複数設置することも可能としている。
【０００７】
このようにネットワークを利用した監視システムの利用が進んでいる。このようなネットワーク利用の監視システムの場合、システム内の情報がネットワーク外に漏れないよう、セキュリティを高めるため、ネットワークを外部と切り離しで構成する場合もある。例えば１つのビル内に複数の企業が入っている場合、各企業が同じ監視システムを運用している場合でも、他フロアの他企業から監視データを参照することができないよう、外部のネットワークと切り離して運用する場合も考えられる。
【０００８】
【発明が解決しようとする課題】
しかしながら、上記従来の監視検索システムにおいては、同じシステムを利用している複数のネットワークを接続して、互いのシステム内の一部情報を参照するためには、互いにネットワーク内の管理情報の更新や設定変更が必要となり、困難であるという問題を有していた。例えば、雑居ビルのセキュリティ管理者が入居者全体に跨った監視を行いたい場合や、本社から距離の離れた支社や工場も合わせた監視を実現する場合などには、あらかじめ全体を統一して監視することを前提として設計しておかなければならず、そうでない場合は、各フロア、各支社でシステムの設定変更処理が必要となり、実現が困難であった。
【０００９】
本発明は、上記従来の問題を解決するためになされたもので、各監視システムのネットワークは従来の管理情報や設定の変更を最小限にとどめつつ、監視システムのネットワークの接続を可能とし、互いの情報を参照しあうような監視検索システムを容易に構築することができる分散監視検索システムを提供することを目的とする。
【００１０】
【課題を解決するための手段】
本発明の分散監視検索システムは、監視データを入力する入力手段と、前記入力手段から入力された監視データを蓄積する記憶装置と、監視検索端末と、前記記憶装置に蓄積された監視データを検索する監視検索装置とをそれぞれ複数有し、前記監視検索装置は、少なくとも監視データの入力手段識別情報と蓄積された監視データの所在情報との組からなる監視データ索引情報を管理する監視データ索引情報管理手段と、前記記憶装置に蓄積された監視データを検索する検索手段とを備え、前記入力手段、前記記憶装置、前記監視検索端末及び前記監視検索装置がデータ伝送を行うネットワークに接続されてなる監視ネットワークを相互に接続可能とする監視ネットワーク接続装置を備え、
【００１１】
前記監視ネットワーク接続装置は、前記監視検索端末から検索要求を受信したときに検索要求の条件整理を行う検索条件制御手段と、監視検索装置名と検索すべき入力手段識別情報との組を分散構成情報として管理する分散制御手段とを有し、前記監視検索端末から検索要求を受信したときに検索対象の監視データが他の監視ネットワークの監視データである場合には、他の監視ネットワークに検索要求を発行し、前記他の監視ネットワークからの検索結果を前記監視検索端末に送るという特徴を有している。この構成により、監視ネットワークの独立性を維持しつつ、各監視ネットワークにおける設定変更を最小限にとどめ、かつ、利用者は監視ネットワークの違いを特に意識することなく、複数の監視ネットワークに跨った検索を実行することができる。
【００１２】
本発明の分散監視検索システムは、前記監視ネットワーク接続装置は、第一の監視ネットワークと接続して通信を行う第一通信手段と、第二の監視ネットワークと接続して通信を行う第二通信手段と、前記第一の監視ネットワークに含まれる監視検索装置名と前記監視検索装置の前記監視データ索引情報管理手段が管理する監視データ情報に含まれる入力手段識別情報との組を分散構成情報として管理する第一分散管理手段と、前記第一の監視ネットワーク内の前記監視検索装置に対して検索を要求し結果を取得する検索手段とを備え、
【００１３】
前記監視ネットワーク接続装置が、前記第二の監視ネットワークの前記監視検索端末から前記第一の監視ネットワークに含まれる前記入力手段に関する監視データの検索要求を受信すると、前記第一分散管理手段により検索が必要な監視検索装置を特定して検索を要求し、前記監視検索装置から受信した検索結果をまとめて前記第二の監視ネットワークの前記監視検索端末に対して送るという特徴を有している。この構成により、一方の監視ネットワーク内から、他方の監視ネットワーク内の入力手段の監視データも検索対象とした検索を実現することができる。
【００１４】
また、本発明の分散監視検索システムは、前記監視ネットワーク接続装置は、前記第一の監視ネットワークに含まれる入力手段識別情報と、前記入力手段識別情報を前記第二の監視ネットワークに対して示す場合に使用する仮想入力手段識別情報との組からなる入力手段識別管理情報を格納する第一入力手段識別管理手段と、前記第二の監視ネットワークから検索要求を受信すると、前記第一入力手段識別管理情報により、検索要求に含まれる前記仮想入力手段識別情報を前記第一の監視ネットワーク内の前記入力手段識別情報に変換して前記検索手段に検索要求を渡し、前記第一の監視ネットワークからの検索結果に含まれる前記入力手段識別情報を前記仮想入力手段識別情報に変換して前記第二の監視ネットワークに送るよう制御する検索条件制御手段とを備えるという特徴を有している。この構成により、双方の監視ネットワークで入力手段識別情報として同じ値を割り当てていた場合でも、一方の監視ネットワーク内から他方の監視ネットワーク内の入力手段を対象に含んだ検索を実行することができる。
【００１５】
また、本発明の分散監視検索システムは、前記監視ネットワーク接続装置は、前記第二の監視ネットワークに含まれる監視検索装置名と前記監視検索装置の前記監視データ索引情報管理手段が管理する監視データ情報に含まれる入力手段識別情報との組を分散構成情報として管理する第二分散管理手段を備え、前記検索手段は、前記第一の監視ネットワークから前記第二の監視ネットワークに対して検索要求を受けた場合には、前記第二の監視ネットワーク内の前記監視検索装置に対して検索を要求し結果を取得するという特徴を有している。この構成により、第一及び第二の監視ネットワークについて、双方向の検索処理を実現することができる。
【００１６】
また、本発明の分散監視検索システムは、前記監視ネットワーク接続装置は、前記第二の監視ネットワークに含まれる監視検索装置名と前記監視検索装置の前記監視データ索引情報管理手段が管理する監視データ情報に含まれる入力手段識別情報との組を分散構成情報として管理する第二分散管理手段と、前記第二の監視ネットワークに含まれる入力手段識別情報と、前記入力手段識別情報を前記第一の監視ネットワークに対して示す場合に使用する仮想入力手段識別情報との組からなる入力手段識別管理情報を格納する第二入力手段識別管理手段とを備え、前記検索条件制御手段は、前記第一の監視ネットワークから検索要求を受信した場合は、前記第二入力手段識別管理情報により、検索要求に含まれる前記仮想入力手段識別情報を前記第二の監視ネットワーク内の前記入力手段識別情報に変換して前記検索手段に検索要求を渡し、前記第二の監視ネットワークからの検索結果に含まれる前記入力手段識別情報を前記仮想入力手段識別情報に変換して前記第一の監視ネットワークに送るよう制御するという特徴を有している。この構成により、第一及び第二の監視ネットワークとで、入力手段識別情報として同じ値を割り当てていた場合でも、双方向の検索処理を実現することができる。
【００１７】
また、本発明の分散監視検索システムは、前記入力手段識別管理情報は、他ネットワークへの監視データ提供の可否を示すフラグ情報を含み、前記検索条件制御手段は、前記入力手段識別管理情報を参照して監視データの提供が許可されている場合のみ検索処理を実行するという特徴を有している。この構成により、他の監視ネットワークに対して、監視データを提供するかどうかを、入力手段ごとに設定することができる。
【００１８】
また、本発明の分散監視検索システムは、前記入力手段識別情報は監視ネットワーク識別情報情報も含むよう定義され、少なくとも前記監視ネットワーク識別情報情報と前記第二の監視ネットワークへの監視データ提供の可否情報の組からなる監視ネットワーク識別情報管理情報を格納する第一監視ネットワーク識別情報管理手段と、少なくとも監視ネットワーク識別情報情報と前記第一の監視ネットワークへの監視データ提供の可否情報の組からなる監視ネットワーク識別情報管理情報を格納する第二監視ネットワーク識別情報管理手段とを備え、前記検索条件制御手段は、検索要求に含まれる仮想入力手段識別情報に対応した入力手段識別情報に含まれる前記監視ネットワーク識別情報情報により前記監視ネットワーク識別情報管理情報を参照し、監視データの提供が許可されている場合のみ検索処理を実行するという特徴を有している。この構成により、特定の監視ネットワークの情報のみ、提供を許可したり、１つの監視ネットワークの入力手段の情報が複数の経路から送られてくるのを防止したりすることができる。
【００１９】
また、本発明の分散監視検索システムは、前記監視ネットワーク接続装置は、他監視ネットワークの利用を許可されている利用者を管理する利用者識別情報を格納する利用者管理手段を備え、前記検索条件制御手段は、検索要求を発行した利用者識別情報を前記利用者管理手段の利用者識別情報と比較し、両方の利用者識別情報が一致した場合には利用が許可されているとして検索処理を実行するという特徴を有している。この構成により、監視ネットワーク内の入力手段の監視データの提供を、利用者ごとに指定することができる。
【００２０】
また、本発明の分散監視検索システムは、前記入力手段識別管理情報は前記入力手段が属するグループ識別情報を含み、前記利用者識別情報は利用者が属するグループ識別情報を含み、前記検索条件制御手段は、前記利用者識別情報から検索要求を発行した利用者が属するグループを参照し、前記グループに含まれる入力手段のみを検索対象とするよう制御するという特徴を有している。この構成により、他の監視ネットワークからのアクセスを、利用者と入力手段のグループ設定により制御することができる。
【００２１】
また、本発明の分散監視検索システムは、各監視ネットワーク内の監視検索装置は、自身の監視ネットワークに含まれる監視検索装置名と監視検索装置の監視データ索引情報管理手段が管理する監視データ情報に含まれる入力手段識別情報との組を分散構成情報として管理する分散制御手段を備え、前記分散構成情報には監視ネットワーク接続装置が監視検索装置として登録され、前記監視ネットワーク接続装置に対応する入力手段識別情報が前記監視ネットワーク接続装置を介して監視検索を行う他の監視ネットワークに含まれる入力手段識別情報であるという特徴を有している。この構成により、監視ネットワーク内からは、監視ネットワーク接続装置が１つの監視検索装置として見えるため、他の監視ネットワークへのアクセスを特に意識することなく監視検索を行うことができる。
【００２２】
また、本発明の分散監視検索システムは、前記監視ネットワーク接続装置および前記監視ネットワーク内の監視検索装置は、前記分散構成情報の更新を管理する分散構成情報管理手段を備え、前記分散構成情報管理手段は、前記監視検索装置および前記監視ネットワーク接続装置間で互いに通信を行って前記分散構成情報を作成、更新するという特徴を有している。この構成により、監視ネットワークに接続された監視ネットワーク接続装置に関する情報更新を自動的に行い、監視ネットワーク内の設定を変更する手間がかからない監視検索システムを構築することができる。
【００２３】
また、本発明の監視ネットワーク接続装置は、複数の監視ネットワークを相互に接続可能とする監視ネットワーク接続装置であって、前記監視ネットワーク接続装置は、外部から監視データの検索要求を受信したときに前記監視データが他の監視ネットワークで得られるべき監視データである場合には、前記他の監視ネットワークからの検索結果を前記監視検索端末に送るよう制御するという特徴を有している。この構成により、利用者は監視ネットワークの違いを特に意識することなく、複数の監視ネットワークに跨った検索を実行することができる。
【００２４】
また、本発明の監視ネットワークシステムは、入力手段より入力された監視データを蓄積する記憶装置と、前記監視データの検索要求を行う監視検索端末と、前記監視データがどこから入力されたかを示す入力手段識別情報と蓄積された監視データの所在情報との組を含む監視データ索引情報を管理する監視データ索引情報管理手段と、前記記憶装置に蓄積された監視データを検索する検索手段とを備え、前記監視検索端末は、前記記憶装置に存在しない監視データが検索要求されたとき、前記検索要求を他の監視ネットワークに対して行うという特徴を有している。この構成により、利用者は監視ネットワークの違いを特に意識することなく、複数の監視ネットワークに跨った検索を実行することができる。
【００２５】
【発明の実施の形態】
以下、本発明の実施の形態について、図面を用いて説明する。
【００２６】
（第１の実施の形態）
図１は、本発明の第１の実施の形態の分散監視検索システムの構成を示すブロック図である。図１において、第１の監視ネットワーク１０１ａと第２の監視ネットワーク１０１ｂは、それぞれ、監視対象に関する映像及び音声などの監視データの入力手段１０３と、入力された監視データを蓄積する記憶装置１０４と、監視検索端末１０６と、蓄積された監視データを検索する監視検索装置１０５ａ（１０５ｃ）、１０５ｂ（１０５ｄ）とを有し、入力手段１０３と記憶装置１０４と監視検索装置１０５ａ（１０５ｃ）、１０５ｂ（１０５ｄ）と監視検索端末１０６とをネットワーク１０７で接続し、監視データの情報を伝送するものである。監視ネットワーク１０１ａ、１０１ｂは、セキュリティを重視して外部ネットワークには直接接続されてはいない。
【００２７】
監視ネットワーク接続装置１０２は、少なくとも第１の監視ネットワーク１０１ａと第２の監視ネットワーク１０１ｂの２つの監視ネットワークを接続し、監視データ等の情報の交換を実現するものである。
【００２８】
監視ネットワーク１０１ａ、１０１ｂにおいて、監視データの入力手段１０３は、監視対象に向けられたカメラであり、撮像した画像を監視データとしてネットワーク１０７に送出する。監視データの入力手段１０３のそれぞれには、監視ネットワーク１０１ａ、１０１ｂ内で一意に入力手段１０３が特定される識別情報として入力手段識別情報が割り当てられている。
【００２９】
記憶装置１０４は、入力された監視データを蓄積し、その入出力を管理するものである。蓄積された監視データを検索する監視検索装置１０５ａ（１０５ｃ）、１０５ｂ（１０５ｄ）は、監視データ索引情報を管理し、検索処理を行うものである。監視検索端末１０６は、利用者が検索条件を入力し、入力に従って検索要求を発行し、検索結果を受信して利用者に対して出力するものである。ネットワーク１０７は監視データや検索要求・結果などを伝送し、要求元と要求先との間の通信を実現するものである。
【００３０】
監視検索装置１０５ａ（１０５ｃ）、１０５ｂ（１０５ｄ）において、監視データ索引情報管理手段１０８は、記録された監視データについて、少なくとも監視データの入力手段識別情報と、監視データの記録時間と、監視データの所在情報の組からなる監視データ索引情報を管理するものである。検索手段１０９は監視データ索引情報の検索を行い、結果を出力するものである。分散制御手段１１０は、少なくとも監視検索装置名と監視検索装置１０５ａ（１０５ｃ）、１０５ｂ（１０５ｄ）の監視データ索引情報管理手段１０８に含まれる監視データの入力手段１０３の入力手段識別情報との組を分散構成情報として管理するものである。
【００３１】
監視データの入力手段１０３、記憶装置１０４、監視検索装置１０５ａ（１０５ｃ）、１０５ｂ（１０５ｄ）、監視検索端末１０６は、いずれも監視ネットワーク１０１内に複数存在するものとする。
【００３２】
監視ネットワーク接続装置１０２において、第１通信手段１１１ａは第１の監視ネットワーク１０１ａとの通信を行い、第２通信手段１１１ｂは第２の監視ネットワーク１０１ｂとの通信を行うものである。
【００３３】
第１分散制御手段１１２ａは、少なくとも第１の監視ネットワーク１０１ａ内の監視検索装置名と監視検索装置の監視データ索引情報管理手段に含まれる入力手段識別情報との組を分散構成情報として管理するものである。第２分散制御手段１１２ｂは、少なくとも第２の監視ネットワーク１０１ｂ内の監視検索装置名と監視検索装置の監視データ索引情報管理手段に含まれる入力手段識別情報との組を分散構成情報として管理するものである。
【００３４】
検索条件制御手段１１３は、通信手段１１１ａ、１１１ｂから検索要求を受けて、分散制御手段１１２ａ、１１２ｂの分散構成情報を参照して、監視ネットワーク１０１ａ、１０１ｂ内の監視検索装置１０５ａ（１０５ｃ）、１０５ｂ（１０５ｄ）に対し検索要求を発行し、検索結果を取得して要求元へ渡すものである。
【００３５】
以上のように構成された第１の実施の形態の分散監視検索システムにおいて、以下にその動作を説明する。以下の説明においては、第１の監視ネットワーク１０１ａ内の入力手段識別情報として１から１００までを有するカメラ１００台と、第２の監視ネットワーク１０１ｂ内の入力手段識別情報として１０１から２００までを有するカメラ１００台を含んでいるとして説明する。第１の監視ネットワーク１０１ａ内の監視検索端末１０６から、利用者が入力手段識別情報と監視検索したい日時（時間帯を含む）を指定して検索要求を発行する。ここでは、入力手段識別情報が７１から１２０までと、２００２年３月１日１０時から１１時までの日時を指定したものとする。
【００３６】
監視検索端末１０６は検索要求を第１の監視ネットワーク１０１ａ内のどの監視検索装置に対して送ってもよい。ここでは監視検索装置１０５ｂに対して送ったものとする。
【００３７】
図２は第２の監視検索装置１０５ｂの分散制御手段１１０が管理する分散構成情報の例を示したものである。図２において分散制御手段１１０が管理する分散構成情報は、監視検索装置名２１と入力手段識別情報２２とに項目が分けられ、入力手段識別情報として１から５０までを有する５０台のカメラを第１の監視検索装置１０５ａが、入力手段識別情報として５１から１００までを有する５０台のカメラを第２の監視検索装置１０５ｂが管理していること、また、監視ネットワーク接続装置１０２が入力手段識別情報として１０１から２００までを有する１００台のカメラを管理する監視検索装置として登録されていること、が示されている。
【００３８】
第２の監視検索装置１０５ｂの分散制御手段１１０は、分散構成情報を参照して、検索要求を入力手段識別情報が７１から１００までと、入力手段識別情報が１０１から１２０までとに分割して、入力手段識別情報が７１から１００までは自身の検索手段１０９に対し、入力手段識別情報が１０１から１２０までは監視ネットワーク接続装置１０２に対し検索要求を発行する。
【００３９】
第２の監視検索装置１０５ｂの検索手段１０９は、監視データ索引情報管理手段１０８が管理する監視データ索引情報を検索して、検索結果を分散制御手段１１０に渡す。
【００４０】
監視ネットワーク接続装置１０２の検索条件制御手段１１３は、第１通信手段１１１ａを介して検索要求を受信すると、第２の監視ネットワーク１０１ｂ内の分散構成情報を管理する第２分散制御手段１１２ｂに対し、検索要求を渡す。
【００４１】
図３は、監視ネットワーク接続装置１０２の第２分散制御手段１１２ｂが管理する分散構成情報の例を示したものである。図３において監視ネットワーク接続装置１０２の第２分散制御手段１１２ｂが管理する分散構成情報は、監視検索装置名３１と入力手段識別情報３２とに項目が分けられ、第１の監視ネットワーク１０１ａ内の監視検索装置１０５ａ、１０５ｂ内の分散制御手段１１０と同様に、入力手段識別情報が１０１から１１０までと入力手段識別情報が１１１から１２０までとに分割し、入力手段識別情報が１０１から１１０までを第２の監視ネットワーク１０１ｂ内の第１の監視検索装置１０５ｃが管理し、入力手段識別情報が１１１から１２０までを第２の監視検索装置１０５ｄが管理し、入力手段識別情報が１２１から２００までを第３の監視検索装置１０５ｅが管理していること、また、監視ネットワーク接続装置１０２が入力手段識別情報が１から１００までを管理する監視検索装置として登録されていること、が示されている。
【００４２】
第２分散制御手段１１２ｂは、図３に示されるような分散構成情報を参照して、入力手段識別情報が１０１から１１０までを第２の監視ネットワーク１０１ｂ内の第１の監視検索装置１０５ｃに、入力手段識別情報が１１１から１２０までは第２の監視検索装置１０５ｄに、検索要求をそれぞれ発行する。第２の監視ネットワーク１０１ｂ内の監視検索装置１０５ｃ、１０５ｄは、それぞれ要求された検索処理を実行し、検索結果を監視ネットワーク接続装置１０２に渡す。
【００４３】
監視ネットワーク接続装置１０２内の第２分散制御手段１１２ｂは、第２通信手段１１１ｂを介して第２の監視ネットワーク１０１ｂ内の監視検索装置１０５ｃ、１０５ｄから検索結果を受信すると、検索結果をまとめて、検索条件制御手段１１３、第１通信手段１１１ａを介して第１の監視ネットワーク１０１ａ内の第２の監視検索装置１０５ｂに渡す。
【００４４】
第１の監視ネットワーク１０１ａ内の第２の監視検索装置１０５ｂの分散制御手段１１０は、監視ネットワーク接続装置１０２から検索結果を受け取ると、自身の検索手段１０９の検索結果と合わせて最終的な検索結果として、監視検索端末１０６に渡す。監視検索端末１０６は、受信した監視検索結果を利用者に出力する。
【００４５】
以上のように動作させることにより、第１の監視ネットワーク１０１ａ内から、第２の監視ネットワーク１０１ｂ内の入力手段１０３の監視データについても検索処理を実行することが可能となる。
【００４６】
なお、第２の監視ネットワーク１０１ｂ内の監視検索端末１０６から第１の監視ネットワーク１０１ａ内の入力手段１０３の監視データを含めて検索処理を実行することも同様に可能である。
【００４７】
以上のように本発明の第１の実施の形態によれば、監視ネットワーク１０１内の監視検索装置１０５ａ（１０５ｃ）、１０５ｂ（１０５ｄ）の分散制御手段１１０の分散構成情報に監視ネットワーク接続装置１０２を監視検索装置として登録し、対応する入力手段識別情報として、監視ネットワーク接続装置１０２が第２の監視ネットワーク１０１ｂ内の入力手段識別情報を登録し、監視ネットワーク接続装置１０２の検索条件制御手段１１３、および分散制御手段１１２が第２の監視ネットワーク１０１ｂへの検索要求を実行することにより、利用者は監視ネットワーク１０１ａ、１０１ｂの違いを特に意識することなく、監視ネットワーク１０１ａ、１０１ｂに跨った検索を実行することができる。
【００４８】
（第２の実施の形態）
図４は、本発明の第２の実施の形態の分散監視検索システムの構成を示すブロック図である。図４において監視ネットワーク接続装置１０２内の第１入力手段識別管理手段４０１ａは、第１の監視ネットワーク１０１ａ内の入力手段識別情報と、第１の監視ネットワーク１０１ａ内の入力手段１０３を第２の監視ネットワーク１０１ｂ内から参照する場合に利用するため割り当てられた仮想入力手段識別情報との組からなる入力手段識別情報を管理する。その他の構成は第１の実施の形態と同様である。
【００４９】
以上にように構成された第２の実施の形態の分散監視検索システムにおいて、以下にその動作を説明する。以下の説明においては、第１の監視ネットワーク１０１ａ、第２の監視ネットワーク１０１ｂともに、入力手段識別情報として１から１００までを有する１００台のカメラを利用しているものとする。
【００５０】
この場合、入力手段識別情報が重なるため、第１の監視ネットワー１０１ａ内から第２の監視ネットワーク１０１ｂ内の入力手段１０３の監視データを検索することができない。そのため、第２の監視ネットワーク１０１ｂ内の入力手段１０３を第１の監視ネットワーク１０１ａ内から指定する場合の仮の入力手段識別情報を仮想入力手段識別情報として監視ネットワーク接続装置１０２内の第２入力手段識別管理手段４０１ｂに登録し、第１の監視ネットワーク１０１ａ内からは、仮想入力手段識別情報で指定させるようにする。
【００５１】
図５は、監視ネットワーク接続装置１０２内の第２入力手段識別管理手段４０１ｂが管理する入力手段識別情報の例を示したものである。図５に示すように、監視ネットワーク接続装置１０２内の第２入力手段識別管理手段４０１ｂが管理する入力手段識別情報は、入力手段識別情報５１に対して仮想入力手段識別情報５２が割り当てられるようにして管理されており、第１の監視ネットワーク１０１ａ内からは、第２の監視ネットワーク１０１ｂ内の入力手段識別情報として１から１００までの入力手段識別情報に対して２０１から３００までの仮想入力手段識別情報５２を指定できることになる。第１の監視ネットワーク１０１ａ内の監視検索装置１０５ａ、１０５ｂの分散制御手段１１０が管理する分散構成情報も、監視ネットワーク接続装置１０２は入力手段識別情報が２０１から３００として登録される。
【００５２】
第１の監視ネットワーク１０１ａ内の監視検索端末１０６から利用者が入力手段識別情報２１１から２２０までを指定して検索要求を発行すると、監視検索装置１０５ａ、１０５ｂは、第１の実施の形態と同様に動作して、監視ネットワーク接続装置１０２に対して検索要求を渡す。監視ネットワーク接続装置１０２の検索条件制御手段１１３は、検索要求を受けると、第２入力手段識別管理手段４０１ｂの入力手段識別情報を参照して、検索要求に含まれる仮想入力手段識別情報を本来の入力手段識別情報に変換してから、第２分散制御手段１１２ｂに検索要求を渡す。第２分散制御手段１１２ｂは、第１の実施の形態と同様に動作して、第２の監視ネットワーク１０１ｂの検索結果を検索条件制御手段１１３に渡す。検索条件制御手段１１３は、検索結果に含まれる入力手段識別情報について、第２入力手段識別管理手段４０１ｂの入力手段識別情報を参照して、入力手段識別情報を仮想入力手段識別情報に変換して、第１の監視ネットワーク１０１ａの監視検索装置１０５ａ、１０５ｂの分散制御手段１１０に渡す。この後の動作は第１の実施の形態と同様である。
【００５３】
また、第２の監視ネットワーク１０１ｂ内の監視検索端末１０６から第１の監視ネットワーク１０１ａ内の入力手段１０３の監視データを検索する場合も同様である。
【００５４】
以上のように本発明の第２の実施の形態によれば、監視ネットワーク接続装置１０２の入力手段識別管理手段４０１ａ、４０１ｂで入力手段識別情報と仮想入力手段識別情報との対応を管理することにより、２つのネットワークで入力手段識別情報として同じ値を割り当てていた場合でも、検索処理を実行することができる。
【００５５】
（第３の実施の形態）
図６は、本発明の第３の実施の形態の分散監視検索システムにおける監視ネットワーク接続装置１０２の第２入力手段識別管理手段４０１ｂが管理する入力手段識別情報の例を示す図である。図６に示されるように、監視ネットワーク接続装置１０２の第２入力手段識別管理手段４０１ｂは、入力手段識別情報６１に対応する仮想入力手段識別情報６２に加えて、対応する仮想入力手段識別情報の監視データの提供を許可することを示すフラグ情報６３を割り当てて管理している。
【００５６】
図６に示される第２入力手段識別管理手段４０１ｂが管理する入力手段識別情報から、提供許可を示すフラグ情報６３に○印が付けられていれば、対応する仮想入力手段識別情報の監視データの提供は許可されているが、フラグ情報６３に×印が付けられていれば、対応する仮想入力手段識別情報の監視データの提供は許可されていないことを示しているので、例えば、入力手段識別情報１０１については対応する仮想入力手段識別情報の監視データの提供は許可されているが、入力手段識別情報１０２および入力手段識別情報２００については対応する仮想入力手段識別情報の監視データの提供は許可されていない。
【００５７】
監視ネットワーク接続装置１０２の第１入力手段識別管理手段４０１ａが管理する入力手段識別情報についても上記したのと同様に対応する仮想入力手段識別情報の監視データの提供を許可することを示すフラグ情報を管理する。その他の構成は、本発明の第２の実施の形態と同様である。
【００５８】
以上のように構成された第３の実施の形態の分散監視検索システムについて、以下にその動作を説明する。第１の監視ネットワーク１０１ａの利用者が、第１の監視ネットワーク１０１ａ内の監視検索端末１０６から入力手段識別情報１０１、１０２を指定して検索要求を発行すると、監視ネットワーク接続装置１０２の検索条件制御手段１１３は、第２入力手段識別管理手段４０１ｂが管理する入力手段識別情報を参照し、入力手段識別情報１０１についてのみ、第２の監視ネットワーク１０１ｂ内の監視検索装置１０５ｃ、１０５ｄに対して検索要求を行い、検索結果を第１の監視ネットワーク１０１ａに渡す。
【００５９】
また、第２の監視ネットワーク１０１ｂ内から、第１の監視ネットワーク１０１ａ内の入力手段１０３の監視データを検索する場合も同様である。
以上のように動作させることにより、本発明の第３の実施の形態の分散監視検索システムにおいては、入力手段識別情報ごとに対応する仮想入力手段識別情報の監視データの提供の可否を設定して検索処理を実行することができる。
【００６０】
（第４の実施の形態）
図７は、本発明の第４の実施の形態の分散監視検索システムにおける監視検索ネットワーク接続装置の構成を示すブロック図である。図７において、第１監視ネットワーク識別情報管理手段７０１ａは第１の監視ネットワーク１０１ａに対して監視データの提供を許可する監視ネットワークを識別する監視ネットワーク識別情報情報を管理するものであり、第２監視ネットワーク識別情報管理手段７０１ｂは第２の監視ネットワーク１０１ｂに対して監視データの提供を許可する監視ネットワークを識別する監視ネットワーク識別情報情報を管理するものであり、その他の構成は本発明の第２の実施の形態と同様である。
【００６１】
以上のように構成された第４の実施の形態の分散監視検索システムについて、以下にその動作を説明する。分散監視検索システムを構成する監視ネットワーク１０１ａ、１０１ｂに対し、一意に監視ネットワークを識別可能な監視ネットワーク識別情報情報を割り当て、入力手段識別情報に監視ネットワーク識別情報情報を含ませる。
【００６２】
図８は、監視ネットワーク識別情報情報を含ませた入力手段識別情報の構成例を示したものである。この例では、１６ビットの数値で定義され、上位４ビットが監視ネットワーク識別情報情報を示し、下位１２ビットが入力手段識別情報を示す。
【００６３】
図９は、複数の監視ネットワーク９０１ａ〜９０１ｄにより構成される分散監視検索システムの構成例を示したものである。図９において、監視ネットワーク９０１ａは、監視ネットワーク接続装置９０２ａにより、監視ネットワーク９０１ｂと接続される。監視ネットワーク９０１ｂは、監視ネットワーク接続装置９０２ｂにより監視ネットワーク９０１ｃと、監視ネットワーク接続装置９０２ｄにより監視ネットワーク９０１ｄと接続される。監視ネットワーク９０１ｃは、監視ネットワーク接続装置９０２ｃにより、監視ネットワーク９０１ａと接続される。
【００６４】
監視ネットワーク９０１ａと監視ネットワーク９０１ｂとを接続する監視ネットワーク接続装置９０２ａの第１監視ネットワーク識別情報管理手段７０１ａおよび第２監視ネットワーク識別情報管理手段７０１ｂが管理する監視ネットワーク識別情報情報と、監視ネットワーク９０１ｃと監視ネットワーク９０１ａとを接続する監視ネットワーク接続装置９０２ｃの第１監視ネットワーク識別情報管理手段７０１ａおよび第２監視ネットワーク識別情報管理手段７０１ｂが管理する監視ネットワーク識別情報情報の例をそれぞれ図１０に示す。
【００６５】
図１０は、監視ネットワーク接続装置名及び監視ネットワーク識別情報管理手段名７１が設定した監視ネットワーク識別情報情報７２を示すものである。各監視ネットワーク識別管理手段は、設定された監視ネットワーク識別情報７２を見て一意に監視ネットワークを識別することになる。図１０に示されるように、監視ネットワーク接続装置９０２ａの第１監視ネットワーク識別管理手段７０１ａには、監視ネットワーク識別情報１および２が、また監視ネットワーク接続装置９０２ａの第２監視ネットワーク識別管理手段７０１ｂには、監視ネットワーク識別情報３が、また監視ネットワーク接続装置９０２ｃの第１監視ネットワーク識別管理手段７０１ａには、監視ネットワーク識別情報４が、また監視ネットワーク接続装置９０２ｃの第２監視ネットワーク識別管理手段７０１ｂには、監視ネットワーク識別情報３が設定されている。
【００６６】
図１０の表をみることにより、監視ネットワーク接続装置９０２ａの第１監視ネットワーク識別管理手段７０１ａでは、監視ネットワーク９０１ａ（監視ネットワーク識別情報３）に対して、監視ネットワーク識別情報１（監視ネットワーク９０１ｂ）と監視ネットワーク識別情報２（監視ネットワーク９０１ｄ）の監視データの提供を許可しているのがわかる。また、監視ネットワーク接続装置９０２ｃの第１監視ネットワーク識別管理手段７０１ａでは、監視ネットワーク９０１ａ（監視ネットワーク識別情報３）に対して、監視ネットワーク識別情報４（監視ネットワーク９０１ｃ）の監視データのみの提供を許可しているのがわかる。
【００６７】
この設定により、監視ネットワーク９０１ａには、自分を除くすべての監視ネットワーク９０１ｂ、９０１ｃ、９０１ｄの監視データが監視ネットワーク接続装置９０２ａ及び９０２ｃを経由して提供されることにより重複することなく、全ての監視データを利用することが可能となる。
【００６８】
以上のように本発明の第４の実施の形態の分散監視検索システムでは、監視ネットワーク識別情報により提供する監視データを設定することにより、複数の監視ネットワークから構成された分散監視検索システムにおいて、ある監視ネットワークの情報が複数の経路から取得されて重複する問題を回避することができる。
【００６９】
（第５の実施の形態）
図１１は、本発明の第５の実施の形態の分散監視検索システムにおける監視ネットワーク接続装置の構成を示すブロック図である。図１１において監視ネットワーク接続装置１０２の第１利用者情報管理手段１１０１ａは、第１の監視ネットワーク１０１ａの監視データを利用可能な利用者識別情報を管理するものであり、同じく監視ネットワーク接続装置１０２の第２利用者情報管理手段１１０１ｂは、第２の監視ネットワーク１０１ｂの監視データを利用可能な利用者識別情報を管理するものであり、その他の構成は第２の実施の形態と同様である。
【００７０】
以上のように構成された第５の実施の形態の分散監視検索システムにおいて、以下にその動作を説明する。図１２は、監視ネットワーク接続装置１０２の第１利用者情報管理手段１１０１ａが管理する利用者識別情報８１の例を示し、利用者識別情報８１に登録された利用者は第１の監視ネットワーク１０１ａの監視データを利用することが許可されているものである。第２の監視ネットワーク１０１ｂ内の監視検索端末１０６から、利用者Ａが第１の監視ネットワーク１０１ａ内の入力手段１０３を含む検索要求を実行すると、監視ネットワーク接続装置１０２内の検索条件制御手段１１３は、第１利用者情報管理手段１１０１ａの利用者識別情報を参照し、利用者Ａに対して検索利用が許可されていることを確認してから、第１の監視ネットワーク１０１ａに対して検索要求を行い、検索結果を利用者Ａに渡す。これに対し、検索利用が許可されていない利用者Ｂ（当然ながら図１２の利用者識別情報８１には登録されていない）が第１の監視ネットワーク１０１ａ内の入力手段１０３を含む検索要求を実行すると、検索条件制御手段１１３は、第１利用者情報管理手段１１０１ａの利用者識別情報を参照し、利用者Ｂが許可されていないことを識別し、第１の監視ネットワーク１０１ａに対し検索要求を送らない。
【００７１】
以上のように本発明の第５の実施の形態の分散監視検索システムでは、監視ネットワーク接続装置１０２の利用者情報管理手段１１０１ａ、１１０１ｂで利用者識別情報を管理することにより、監視ネットワーク１０１ａ、１０１ｂ内の監視データの参照について、利用者ごとに許可を設定することができる。
【００７２】
（第６の実施の形態）
本発明の第６の実施の形態の分散監視検索システムにおける監視ネットワーク接続装置の構成を示すブロック図は、図１１に示した本発明の第５の実施の形態と同様である。
【００７３】
図１３は、監視ネットワーク接続装置１０２内の第１入力手段識別管理手段４０１ａが管理する入力手段識別情報、および監視ネットワーク接続装置１０２内の第１利用者情報管理手段１１０１ａが管理する利用者識別情報の例を示したものである。図１３において入力手段識別情報９１には仮想入力手段識別情報９２が対応付けられ、さらにそれらの入力手段識別情報９１、９２に対してグループを識別するグループ識別情報９３が設定される。また、利用者識別情報９４にも、グループを識別するグループ識別情報９５が設定される。したがって、入力手段識別情報９１、仮想入力手段識別情報９２および利用者識別情報９４にはグループを識別するグループ識別情報９３、９５がそれぞれに含まれることになる。
【００７４】
なお、ここでは、各入力手段および各利用者が１つのグループに属する場合について説明するが、各入力手段および各利用者がそれぞれ複数のグループに属す場合についても同様である。
【００７５】
第２の監視ネットワーク１０１ｂ内の監視検索端末１０６から、利用者Ａが第１の監視ネットワーク１０１ａ内の入力手段識別情報が１０１から１０５を含む検索要求を発行すると、監視ネットワーク接続装置１０２内の検索条件制御手段１１３は、利用者識別情報を参照して利用者Ａのグループを取得し、入力手段識別情報を参照して、利用者Ａの属するグループ１に属する入力手段識別情報が１０１および１０３のみを検索対象とするよう検索要求を変更して、第１の監視ネットワーク１０１ａに対して検索要求を発行し、検索結果を利用者Ａに渡す。
【００７６】
以上のように本発明の第６の実施の形態の分散監視検索システムでは、利用者および入力手段１０３がいずれかのグループに属するようグループを設定し、監視ネットワーク接続装置１０２で、利用者および入力手段１０３のグループ設定を管理することにより、他の監視ネットワーク１０１の監視データの参照について、グループにより制御することができる。
【００７７】
（第７の実施の形態）
図１４は、本発明の第７の実施の形態の分散監視検索システムにおける監視ネットワーク接続装置の構成を示すブロック図である。図１４において監視ネットワーク１０１ａ内の第１の監視検索装置１０５ａの分散構成情報管理手段１４０１は、第２の監視検索装置１０５ｂおよび監視ネットワーク接続装置１０２の第１の分散構成情報管理手段１４０１ａと互いに通信して、分散構成情報を作成、更新するものである。
【００７８】
監視ネットワーク接続装置１０２の第１分散制御手段１１２ａに接続された第１の分散構成情報管理手段１４０１ａは、第１の監視ネットワーク１０１ａ内の第１の監視検索装置１０５ａの分散構成情報管理手段１４０１と互いに通信して、分散構成情報を作成、更新するものである。
【００７９】
監視ネットワーク接続装置１０２の第２分散制御手段１１２ｂに接続された第２の分散構成情報管理手段１４０１ｂは、第２の監視ネットワーク１０１ｂ内の監視検索装置１０５ｃ、１０５ｄの分散構成情報管理手段１４０１と互いに通信して、分散構成情報を作成、更新するものである。その他の構成は、本発明の第２の実施の形態と同様である。
【００８０】
以上のように構成された第７の実施の形態の分散監視検索システムについて、以下にその動作を説明する。第１の監視ネットワーク１０１ａ内の第１の監視検索装置１０５ａの分散構成情報管理手段１４０１は、分散構成情報の初期情報として、あらかじめ自身が属する第１の監視検索装置１０５ａが管理する監視データ索引情報が対応する入力手段識別情報を保持する。また、監視ネットワーク接続装置１０２内の第１の分散構成情報管理手段１４０１ａは、分散構成情報の初期情報として、あらかじめ第２の監視ネットワーク１０１ｂ内の入力手段識別情報を保持する。
【００８１】
図１５は、第１の監視ネットワーク１０１ａに監視ネットワーク接続装置１０２を接続した際の、監視ネットワーク接続装置１０２内の第１の分散構成情報管理手段１４０１ａの分散構成情報更新処理の流れを示したフロー図であり、図１６は、第１の監視ネットワーク１０１ａ内の第１の監視検索装置１０５ａの分散構成情報管理手段１４０１の分散構成情報更新処理の流れを示したフロー図である。
【００８２】
監視ネットワーク接続装置１０２を第１の監視ネットワーク１０１ａに接続すると、図１５に示すように、監視ネットワーク接続装置１０２の第１の分散構成情報管理手段１４０１ａは自身の分散構成情報を含む起動通知を、第１分散制御手段１１２ａ、第１通信手段１１１ａを介して、ネットワーク１０７に接続されている全ての監視検索装置１０５ａ、１０５ｂに対して送信する（ステップ１５０１）。その後、監視検索装置１０５ａ、１０５ｂからの応答待ちになる（ステップ１５０３）。
【００８３】
一方、第１の監視検索装置１０５ａの分散構成情報管理手段１４０１は、図１６に示すように、常に起動通知を受信できるようにしておく（ステップ１６０１）。監視ネットワーク接続装置１０２の第１の分散構成情報管理手段１４０１ａから起動通知を受信すると、起動通知に含まれる分散構成情報を自身の分散構成情報と比較し（ステップ１６０２）、通知された情報が自身の分散構成情報に存在しなければ追加登録する（ステップ１６０３）。その上で、起動通知の発信元である監視ネットワーク接続装置１０２の第１の分散構成情報管理手段１４０１ａに対し、自身の監視検索装置名と対応する入力手段識別情報とを送る（ステップ１６０４）。
【００８４】
監視ネットワーク接続装置１０２の第１の分散構成情報管理手段１４０１ａは、図１５に示すように、第１の監視検索装置１０５ａから監視検索装置名と入力手段識別情報とを受信すると、自身の分散構成情報と比較し（ステップ１５０４）、分散構成情報に通知された情報が登録されていなければ、自身の分散構成情報に追加登録する（ステップ１５０５）。その後、起動通知を発行してから一定時間以上経過していないかどうかを確認する（ステップ１５０２）。一定時間以上経過していれば、他に通知をしてきていない第２の監視検索装置１０５ｂは存在していないと判断し、分散構成情報更新処理を終了する。一定時間経過していなければ、再び応答待ちになる（ステップ１５０３）。
【００８５】
ここでは、監視ネットワーク接続装置１０２を第１の監視ネットワーク１０１ａに接続する場合について説明したが、既に監視ネットワーク接続装置１０２が接続されている第１の監視ネットワーク１０１ａ内に、新たに監視検索装置１０５ｂ等を追加接続する場合も同様の動作を行い、新たに追加接続された監視検索装置１０５ｂ等および監視ネットワーク接続装置１０２の第１の分散構成情報管理手段１４０１ａにおける分散構成情報の更新処理を行う。
【００８６】
以上のように動作させることにより、監視検索装置１０５ａ、１０５ｂおよび監視ネットワーク接続装置１０２の分散構成情報管理手段１４０１ａ、１４０１ｂは、接続時に分散構成情報の更新を行い、ネットワーク１０７に接続されている全ての監視検索装置１０５ａ、１０５ｂおよび監視ネットワーク接続装置１０２の分散構成情報を共通の状態にすることができる。
【００８７】
以上のように本発明の第７の実施の形態によれば、全ての分散構成情報をあらかじめ持っていなくても、分散構成情報を自動的に作成するため、監視検索装置１０５ａ、１０５ｂや監視ネットワーク接続装置１０２の接続を容易にし、管理者の作業負担を軽減することができる。
【００８８】
【発明の効果】
以上のように本発明の分散監視検索システムは、２つの監視ネットワークを接続する監視ネットワーク接続装置が、それぞれの分散構成情報を管理し、検索条件制御手段が第１の監視ネットワークから受けた検索要求を条件に合致した検索要求に変更して第２の監視ネットワークに対して発行することにより、それぞれの監視ネットワークの独立性を維持しつつ、各監視ネットワークにおける設定変更を最小限にとどめ、かつ、利用者は監視ネットワークの違いを特に意識することなく、複数の監視ネットワークに跨った検索を実行することができるという効果を有する。
【００８９】
さらに、本発明の分散監視検索システムは、分散構成情報を自動更新することにより、管理者の作業負担を大幅に軽減することができるという効果を有する。
【図面の簡単な説明】
【図１】本発明の第１の実施の形態における分散監視検索システムの構成を示すブロック図
【図２】本発明の第１の実施の形態に係る監視ネットワーク接続装置の第１分散制御手段が管理する分散構成情報の例を示す図
【図３】本発明の第１の実施の形態に係る監視ネットワーク接続装置の第１分散制御手段が管理する分散構成情報の他の例を示す図
【図４】本発明の第２の実施の形態における分散監視検索システムの構成を示すブロック図
【図５】本発明の第２の実施の形態における監視ネットワーク接続装置の第２入力手段識別管理手段が管理する入力手段識別情報の例を示す図
【図６】本発明の第３の実施の形態における監視ネットワーク接続装置の第２入力手段識別管理手段が管理する入力手段識別情報の例を示す図
【図７】本発明の第４の実施の形態における分散監視検索システムの構成を示すブロック図
【図８】本発明の第４の実施の形態における監視ネットワーク識別情報情報を含ませた入力手段識別情報の例を示す図
【図９】本発明の第４の実施の形態における複数の監視ネットワークにより構成される分散監視検索システムの構成を示すブロック図
【図１０】本発明の第４の実施の形態における分散監視検索システムの各監視ネットワーク接続装置の監視ネットワーク識別情報管理手段が管理する監視ネットワーク識別情報情報の例を示す図
【図１１】本発明の第５の実施の形態における分散監視検索システムの構成を示すブロック図
【図１２】本発明の第５の実施の形態における監視ネットワーク接続装置の第２利用者識別管理手段が管理する利用者識別情報の例を示す図
【図１３】本発明の第６の実施の形態における監視ネットワーク接続装置の第１利用者識別管理手段が管理する利用者識別情報および第１入力手段識別管理手段が管理する入力手段識別情報の例を示す図
【図１４】本発明の第７の実施の形態における分散監視検索システムの構成を示すブロック図
【図１５】本発明の第７の実施の形態における分散監視検索システムの監視ネットワーク接続装置の分散構成情報管理手段の接続時の動作を示すフロー図
【図１６】本発明の第７の実施の形態における分散監視検索システムの監視検索装置の分散構成情報管理手段の動作を示すフロー図
【図１７】従来の監視検索システムの構成を示すブロック図
【符号の説明】
１０１ａ、１０１ｂ　監視ネットワーク
１０２　監視ネットワーク接続装置
１０３　入力手段
１０４　記憶装置
１０５ａ〜１０５ｄ　監視検索装置
１０６　監視検索端末
１０７　ネットワーク
１０８　監視データ索引情報管理手段
１０９　検索手段
１１０　分散制御手段
１１１ａ、１１１ｂ　通信手段
１１２ａ、１１２ｂ　分散制御手段
１１３　検索条件制御手段
４０１ａ、４０１ｂ　入力手段識別管理手段
７０１ａ、７０１ｂ　監視ネットワーク識別情報管理手段
９０１ａ〜９０１ｄ　監視ネットワーク
９０２ａ〜９０２ｄ　監視ネットワーク接続装置
１１０１ａ、１１０１ｂ　利用者情報管理手段
１４０１　分散構成情報管理手段
１７０１　ローカル装置
１７０２　センタ装置
１７０３　データ管理装置
１７０４　記憶装置
１７０５　ネットワーク
１７０６　表示装置
１７０７　データ入力手段
１７０８　入力データ蓄積・読出手段
１７０９　通信手段
１７１０　データ処理手段
１７１１　分散データ管理手段
１７１２　ストリームデータ索引情報
１７１３　記録データ
【図１】
2004021404.tif 000003
【図２】
2004021404.tif 000004
【図３】
2004021404.tif 000005
【図４】
2004021404.tif 000006
【図５】
2004021404.tif 000007
【図６】
2004021404.tif 000008
【図７】
2004021404.tif 000009
【図８】
2004021404.tif 000010
【図９】
2004021404.tif 000011
【図１０】
2004021404.tif 000012
【図１１】
2004021404.tif 000013
【図１２】
2004021404.tif 000014
【図１３】
2004021404.tif 000015
【図１４】
2004021404.tif 000016
【図１５】
2004021404.tif 000017
【図１６】
2004021404.tif 000018
【図１７】
2004021404.tif 000019